(57)【特許請求の範囲】
【請求項１】
入射光ビームを変調する機械格子装置を製造する方法であって、
基板上の電導層を覆う保護層の上に、上部表面を有するスペーサ層を設けるステップと、
前記スペーサ層を完全に貫通するチャンネルを乾式エッチングするステップと、
少なくとも前記スペーサ層と同じ厚さの犠牲層を蒸着するステップと、
前記蒸着した犠牲層を、化学機械的に研磨し、前記スペーサ層の上部表面と光学的に共面にするステップと、
前記チャンネルの範囲を完全に覆うように伸張性のあるリボン層を設けるステップと、
前記リボン層上に格子形状にパターン化された反射特性を有する電導層を設けるステップと、
前記反射特性を有する電導層のパターンを前記リボン層に転写し前記リボン層を完全に貫通して乾式エッチングするステップと、
前記チャンネルから前記犠牲層を完全に除去するステップと、
を含むことを特徴とする入射光ビームを変調する機械格子装置の製造方法。
【発明の詳細な説明】
【０００１】
【発明の属する技術分野】
本発明は、入射光ビームを変調する機械格子装置の製造に関し、特に、回析した光ビームの出力が大きく改良された機械格子装置の製造方法に関する。
【０００２】
【従来の技術】
ミクロ機械加工技術の進歩により、低価格ディスプレイに応用するための光変調器を含む様々な超小型電気機械システム（Ｍｉｃｒｏ−ｅｌｅｃｔｒｏｍｅｃｈａｎｉｃａｌｓｙｓｔｅｍｓ）（ＭＥＭＳ）が可能となった。このような変調器は、高解像度と、高い機能速度（ＫＨｚフレーム率）と、複数のグレースケール段階と、色の適合性と、高いコントラスト比と、ＶＬＳＩ技術との互換性とを有する。このような変調器の一つが、１９９４年５月１０日に発行されたブルーム等（Ｂｌｏｏｍ  ｅｔ  ａｌ．）への米国特許第５，３１１，３６０号、「Ｍｅｔｈｏｄ  ａｎｄ  Ａｐｐａｒａｔｕｓ  ｆｏｒ  Ｍｏｄｕｌａｔｉｎｇ  ａＬｉｇｈｔ  Ｂｅａｍ」に記載されている。この変調器は、ミクロ機械加工された反射性位相格子である。この装置は、一定間隔に配置された複数の変形可能素子を有し、これらを桁の形で基板の上に両端から吊るし格子を形成する。変形可能素子は金属層を有し、この金属層は、電極として、また入射光の反射表面として機能する。基板もまた反射性であり、別個の電極を含む。変形可能素子は、λ／４の厚さに設計されており、ここでλは入射光源の波長である。これらの変形可能素子は、基板の上λ／４の距離に、基板と平行に支持されている。変形可能素子が作動した時（例えば十分な切り替え電圧が印加された時）は、変形可能素子は下に引かれ、入射光が回析される。光学システムは、この回析された光を遮断することができる。ディスプレイに応用するためには、複数の変形可能素子が同時に作動させるために集められてピクセルを形成し、このようなピクセルのアレイが使われ像を形成する。更に、格子は本来、分散的なため、この変調器はカラーディスプレイに使用できる。
【０００３】
１９９７年１０月１４日にブルーム等へ発行された米国特許第５，６７７，７８３号、「Ｍｅｔｈｏｄ  ｏｆ  Ｍａｋｉｎｇ  ａ  Ｄｅｆｏｒｍａｂｌｅ  Ｇｒａｔｉｎｇ  Ａｐｐａｒａｔｕｓ  ｆｏｒ  Ｍｏｄｕｌａｔｉｎｇ  ａ  Ｌｉｇｈｔ  Ｂｅａｍ  ａｎｄ  Ｉｎｃｌｕｄｉｎｇ  Ｍｅａｎｓ  ｆｏｒ  Ｏｂｖｉａｔｉｎｇ  Ｓｔｉｃｔｉｏｎ  Ｂｅｔｗｅｅｎ  Ｇｒａｔｉｎｇ  Ｅｌｅｍｅｎｔｓ  ａｎｄ  Ｕｎｄｅｒｌｙｉｎｇ  Ｓｕｂｓｔｒａｔｅ」は、光ビームを変調するための変形可能な格子装置の製造方法に関し、格子素子とその下の基板との間の静止摩擦を除去する手段を含む。図１に、従来技術の光変調器１０の斜視切取図を示す。絶縁保護層２４が、シリコン基板２２上に蒸着される。その後、二酸化シリコン犠牲層１６が蒸着される。次に、窒化シリコン層２６が蒸着され、ここに変形可能素子１２が設けられる。二酸化シリコン犠牲層１６及び窒化シリコン層２６の厚さの両方が、格子装置の振幅変調すなわち効率を決定する際に重要である。桁がそれ自体の自立機構でたっていられるようにするために、二酸化シリコン犠牲層１６は、活動範囲ではエッチングされる。残りの除去されていない二酸化シリコン犠牲層１６は、変形可能素子１２の支持フレーム１４として機能する。製造の最後の過程では、アルミニウム膜３０を用意し、桁の反射率を高め変形可能素子１２と基板２２との間に電荷を印加するための電極を設ける。
【０００４】
この従来技術の装置には多くの問題が存在する。酸化物犠牲層１６及び窒化シリコン層２６の両方の厚さがそれぞれλ／４である必要がある。これらの厚さが変調器の格子振幅を決定するため、その寸法は重要である。これらの厚さのどちらかに差が有ると、オフ状態において望まれない光の回析を生じ、同時にオン状態においての回析効率を低くするため、コントラスト比が低くなる。変形可能素子１２の機械的な性質を最適化するための、厚さを調節する方法は存在しない。
【０００５】
この装置の構成には、酸化物犠牲層１６を除去する際に、決められたエッチングストップが存在しない。このため、残存する酸化物犠牲層１６を支持フレーム１４として機能させるためには、注意深く制御された時間依存のエッチングを必要とする。桁の間を湿式エッチングすることにより、変形可能素子１２の、支持フレーム１４と接触する下部に均一でない壁が残る。このような効果は、装置の電子機械的な性質に影響を及ぼす。
【０００６】
酸化物犠牲層を除去するためのエッチング処理もまた、湿式処理である。この湿式処理ステップでは、静止摩擦が発生する傾向があり、変形可能素子が基板に付着し、付着したままになる傾向があることが知られている。特殊な乾燥技術を使い、この問題を解決することはできるが、これにより処理が複雑化する。乾式処理を使い犠牲層を除去することが望ましい。
【０００７】
１９９７年８月２６日にボーンステイン等（Ｂｏｒｎｓｔｅｉｎｅｔａｌ．）に発行された米国特許第５，６６１，５９２号、「Ｍｅｔｈｏｄ  ｏｆ  Ｍａｋｉｎｇ  ａｎｄ  ａｎ  Ａｐｐａｒａｔｕｓ  ｆｏｒ  ａ  Ｆｌａｔ  Ｄｉｆｆｒａｃｔｉｏｎ  Ｇｒａｔｉｎｇ  Ｌｉｇｈｔ  Ｖａｌｖｅ」は、この従来技術の装置の問題に取り組む変形可能格子装置の製造方法を記載する。基板の上に絶縁層が蒸着される。燐珪酸ガラス（Ｐｈｏｓｐｈｏｓｉｌｉｃａｔｅ  Ｇｌａｓｓ）（ＰＳＧ）犠牲層が次に蒸着される。このＰＳＧ犠牲層の、変形可能格子素子が形成される領域以外が選択的に除去され、ＰＳＧ犠牲層がパターン化される。ＰＳＧは高温でリフローイングされ、その側壁の角度を小さくされる。次に、窒化シリコンがＰＳＧと一致して蒸着され、変形可能素子へパターン化される。そして、ＰＳＧ犠牲層が、湿式エッチングによって除去される。ＰＳＧ犠牲層を選択的にパターン化することにより、桁の下の領域は、ＰＳＧ犠牲層のリフローイングの均一性のため、より均一となる。しかしここでも、ＰＳＧ犠牲層の除去は湿式処理によるため、上述の問題点を有する。
【０００８】
【発明が解決しようとする課題】
窒化シリコンの、パターン化されたＰＳＧ犠牲層領域によって形成された「ステップの丘」（ｓｔｅｐ  ｈｅｉｇｈｔ）の上への一致蒸着はまた、このステップの丘によって決定される地形を有する。変形可能素子をパターン化する際に、この地形が変形可能素子間の最低距離を制限する。素子間の距離が大きくなると、光の散乱が大きくなり、格子の効率を低くする。ＰＳＧ犠牲層の使用はまた、高温のリフローイングステップを必要とし、これにより同一基板上でのＣＭＯＳ回路との統合が複雑化する。
【０００９】
【課題を解決するための手段】
本発明の目的の一つは、機械格子装置の製造方法を提供することである。この機械格子装置は、装置の回析効率を高めるために、装置全体を通じて変形可能素子の作動状態が同一である必要がある。
【００１０】
この目的を達成するために、本発明の入射光ビームを変調する機械格子装置の製造方法は、
基板上の電導層を覆う保護層の上に、上部表面を有するスペーサ層を設けるステップと、
前記スペーサ層を完全に貫通するチャンネルを乾式エッチングするステップと、
少なくとも前記スペーサ層と同じ厚さの犠牲層を蒸着するステップと、
前記蒸着した犠牲層を、化学機械的に研磨し、前記スペーサ層の上部表面と光学的に共面にするステップと、
前記チャンネルの範囲を完全に覆うように伸張性のあるリボン層を設けるステップと、
前記リボン層上に格子形状にパターン化された反射特性を有する電導層を設けるステップと、
前記反射特性を有する電導層のパターンを前記リボン層に転写し前記リボン層を完全に貫通して乾式エッチングするステップと、
前記チャンネルから前記犠牲層を完全に除去するステップと、
を含むことを特徴とする。
【００１１】
【発明の実施の形態】
図２は、本発明による機械格子装置１００の斜視部分切取図である。この機械格子装置１００の機械的に変形可能な構成は、ベース５０の上に形成される。図２に示す本実施形態は、機械格子装置１００を記載し、この装置は、静電力を加えることにより稼動できる。機械格子装置１００が静電力によって作動するという事実により、ベース５０はいくつかの異なる材料の層を有する。ベース５０は、基板５２を有する。基板５２の材料は、ガラス、プラスチック、金属、及び半導体物質の中から選択される。基板５２は、下部電導層５６によって覆われている。本実施形態では、機械格子装置１００を作動させる電圧を印加する電極として機能させるために、この薄い下部電導層５６が必要である。薄い下部電導層５６は、保護層５８によって覆われている。下部電導層５６は、アルミニウム、チタン、金、銀、タングステン、シリコン合金、及び酸化すずインジウムからなる集合から選択される。保護層５８の上には、隔離碍子層６０が形成され、その後スペーサ層６５が形成される。スペーサ層６５の上には、リボン層７０が形成され、このリボン層７０は反射層７８によって覆われる。本実施形態では、反射層７８もまた、機械格子装置１００の作動のための電極を設けるために電導性である必要が有る。電極は、反射性及び電導性層７８からパターン化される。
【００１２】
スペーサ層６５には、長手方向のチャンネル６７が形成される。長手方向のチャンネル６７は、第一の側壁６７ａと、第二の側壁６７ｂと、底部６７ｃとを備える。チャンネル６７の上部には空きがあり、変形可能リボン素子の第一の集合７２ａ及び第二の集合７２ｂによって覆われている。変形可能リボン素子７２ａ及び７２ｂの各々は、チャンネル６７上にまたがり、チャンネル６７のどちらかの側でスペーサ層６５の表面に保持されている。チャンネル６７の底部６７ｃは、保護層５８によって覆われている。前述のように、リボン層７０は反射層７８によって覆われている。反射層７８はまた電導性でもあり、第一の電導領域７８ａ及び第二の電導領域７８ｂが存在するようにパターン化される。第一の電導領域７８ａと第二の電導領域７８ｂの両方が、パターン化に従い櫛状の構成を持ち、互いに入り込むように機械格子装置の表面に配置されている。第一の電導領域７８ａ及び第二の電導領域７８ｂは、機械的にお互いから離され、また電気的にお互いから絶縁されている。リボン層７０は、反射層７８のパターンに従い、同様のパターンにパターン化される。この結果、チャンネル６７にまたがる変形可能リボン素子の第一の集合７２ａと第二の集合７２ｂが、チャンネル６７の方向に存在する。この時、一つの集合に属する変形可能リボン素子と他方の集合に属する変形可能リボン素子とが交互に配置される。
【００１３】
図２に示す実施形態では、複数の隔離碍子６１が、チャンネル６７の底部６７ｃに配置される。隔離碍子６１は、一連の隔離碍子６１が変形可能リボン素子の第一の集合７２ａ又は第二の集合７２ｂのどちらかのみと関連するように、隔離碍子層６０からパターン化される（パターン化処理の詳細な説明は後述を参照）。図示する実施形態では、一連の隔離碍子６１が、変形可能リボン素子の第二の集合７２ｂと関連する。隔離碍子６１はまた、一つの棒として形成することもできる。
【００１４】
図３において、本発明の機械格子装置１００の平面図を示す。第一の観察面Ａ−Ａは、機械格子装置１００の長手方向に垂直であり、図４から図１２に機械格子装置１００の、この平面における断面図を示す。第二の観察面Ｂ−Ｂは、機械格子装置１００の第一の観察面Ａ−Ａに垂直であり、図１３に機械格子装置１００の、この平面における断面図を示す。図３に示す機械格子装置１００は、静電力を加えることによって作動できる装置である。当業者が、この格子装置を作動させる他の方法、例えば、熱作動や、圧電作動や、またはその他の組合わせを考え付くことができることは明白である。図３に示す実施形態では、第一電導領域７８ａ及び第二電導領域７８ｂが機械格子装置１００の表面に形成される。第一電導領域７８ａ及び第二電導領域７８ｂは、お互いから電気的に絶縁され、機械的に離され、変形可能リボン素子の第一の集合７２ａ及び第二の集合７２ｂに、別々に電圧を印加できるようにする。第一電導領域７８ａは変形可能リボン素子の第一の集合７２ａに電圧を印加し、第二電導領域７８ｂは変形可能リボン素子の第二の集合７２ｂに電圧を印加する。第一電導領域７８ａは、ベース５０上の下部電導層５６と接触する。この接続は、相互接続７５（例えば図１２を参照）によって確立される。薄い下部電導層５６は、チャンネル６７の底部６７ｃの下にあるいずれかの層の上に形成すればよい。図３においては、スペーサ層６５及び保護層５８の領域が見えるが、これは、変形可能リボン素子の第一の集合７２ａ及び第二の集合７２ｂが電気的に絶縁され機械的に離されるように、第一電導層７８ａ及び第二電導層７８ｂがパターン化されているからである。機械格子装置１００の運用にあたっては、薄い下部電導層５６と第一電導層７８ａ又は第二電導層７８ｂとの間の電圧差によって静電力が発生する。この第一電導層７８ａ及び第二電導層７８ｂはそれぞれ変形可能リボン素子７２ａ及び７２ｂの上に形成される。図示する実施形態では、リボン素子を作動させる電圧が変形可能リボン素子の第二の集合７２ｂに印加され、これらの素子が、チャンネル６７の底部６７ｃに引かれる。この結果、一つおきの変形可能素子（符号７２ｂで示す全ての変形可能リボン素子）がチャンネルの底部と接触する。変形可能素子の第二の集合に切替えることもできることは明らかである。同様の２段階パターンを達成できる。
【００１５】
ここで図４において、図３に示す面Ａ−Ａにおける断面図を示し、本発明の一つの実施形態の積層を示す。この実施形態では、チャンネル６７の底部６７ｃに形成された隔離碍子６１を使用する。ベース５０は基板５２を有し、この基板５２は下部電導層５６によって覆われ、この下部電導層５６の上を保護層５８が覆う。前述のように、基板５２は、ガラス、プラスチック、金属、または半導体物質であってもよい。基板５２がシリコンの場合、下部電導層５６はイオン注入技術によって形成することもできる。ベース５０は、表面５３を有する。ベース５０の表面５３は、隔離碍子層６０によって覆われる。隔離碍子層６０は、隔離碍子６１の上部表面５４ａを決定する。隔離碍子層６０は次に、スペーサ層６５によって覆われる。スペーサ層６５は、シリコン酸化物と、窒化シリコンと、ポリイミドの中から選択される。隔離碍子層６０の上部表面５４ａを使い、運用の結果の作動の高さが決定される。例えばシリコン酸化物などのスペーサ層６５は、化学蒸着法によって蒸着される。変形可能リボン素子７２ａ及び７２ｂの作動の全体的な高さは、上部表面の高さが６４ａであるスペーサ層６５の厚さによって決定される。
【００１６】
ここで図５において、図３に示す面Ａ−Ａにおける断面図を示し、チャンネル６７のエッチングを示す。スペーサ層６５のパターン化が、標準の写真平板処理及びエッチング方法によって行われ、長手方向のチャンネル６７を設ける。機械格子装置１００は、チャンネル６７の範囲を活性領域とする。次に隔離碍子層６０が、写真平板処理及びエッチング方法によってパターン化され、図５に示す隔離碍子６１を形成する。図示しないが、これらのパターンは、台であっても良いし線であってもよい。隔離碍子６１は、機械格子装置の作動の機械的なストップとして機能し、隔離碍子６１の上部表面は、表面５４ａによって決定される。作動された変形可能リボン素子７２ａ及び７２ｂは、隔離碍子６１の表面５４ａと接触する。
【００１７】
ここで図６において、図３に示す面Ａ−Ａにおける断面図を示し、犠牲層６６の蒸着を示す。図５において存在する構成に更に層の追加を可能にするために、適合する犠牲層６６が蒸着され、この層の厚さは、隔離碍子６０の上部表面５４ａとスペーサ層６５の上部表面６４ａとの間隙よりも大きい（図６を参照）。犠牲層６６の材料は、スペーサ層６５とは異なる。犠牲層６６の材料は、シリコン酸化物、窒化シリコン、ポリシリコン、ドーピングされたポリシリコン、シリコンーゲルマニウム合金、ポリイミドの中から選択される。
【００１８】
図７において、図３に示す面Ａ−Ａにおける断面図を示し、チャンネル６７よりも高い犠牲層６６の除去を示す。犠牲層６６は、スペーサ層６５の上部表面６４ａと実質上同じ高さに平面化される。化学機械的な研磨方法を使い研磨された構成を達成する。チャンネルを埋める犠牲層６６の研磨された表面は、好適には光学的に表面６４ａと共面となり、光ビームがリボン層７０に沿って走査された時に、後に蒸着されるリボン層７０の上部表面から反射された光ビームが、リボン層７０が犠牲層６６と接触する領域においても、またスペーサ層６５の上部表面６４ａと接触する領域においても、鏡のように反射するようにする。光工学の分野では広く知られるように、このためには、表面の平面性が２００オングストローム以下であることが必要とされる。この場合、リボン素子の材料が均一の厚さで均一の引張り応力で蒸着されると、物質６６を除去した後、後に蒸着されるリボン素子７２ａ及び７２ｂは、その下部表面及び上部表面の両方で光学的に共面として残る。また、この場合、リボン素子７２ｓ及び７２ｂは、スペーサ層６５に接触する部分において機械的な不整がなく、従って、装置の運用中は、リボンが均一に予測可能に引かれることを確実にする。
【００１９】
図８において、図３に示す面Ａ−Ａにおける断面図を示し、リボン層７０の蒸着を示す。リボン層７０は、スペーサ層６５の上部表面６４ａの上に設けられ、よってこれもチャンネル６７の範囲を覆う。窒化シリコンは、リボン層７０のために適切な材料であり、パターン化されて必要な機械的な構成を提供できる。この材料の物資的性質は、内在する引張り応力が蒸着処理によって容易に制御できるので、使用に適切である。
【００２０】
図９において、図３に示す面Ａ−Ａにおける断面図を示し、リボン層７０と、ベース５０の構成の一部である下部電導層５６との間の相互接続７５を設けることを示す。下部電導層５６への接触は、少なくとも一つの開口部７４を広く知られたエッチング方法でエッチングし達成される。次に、厚い電導層７６の蒸着が行われ（厚い電導層はアルミニウム合金であってもよい）、そして写真平板処理及びエッチング方法が行われ、厚い電導層７６によって被覆される範囲を少なくとも一つの開口部７４の周りに制限する。この厚い電導層は、リボン層と下部電導層５６との間の相互接続７５を提供する。
【００２１】
ここで図１０において、図３に示す面Ａ−Ａにおける断面図を示し、反射層７８を設けることを示す。電子機械格子装置１００の実施形態によれば、設けられた反射層７８は、高い電導性質を有している必要がある。反射層７８は、リボン層７０の上に蒸着される。反射層７８の光の反射性質は、電子機械格子装置１００を運用する際の回析効率を高める。装置の回析効率が最大化されていることは重要である。電導性質を持つ反射層７８の材料は、アルミニウム、チタン、金、銀、タングステン、シリコン合金、またはインジウムすず酸化物からなる部類中から選択される。
【００２２】
図１１において、図３に示す面Ａ−Ａにおける断面図を示し、反射層７８及びリボン層７０のパターン化を示す。反射層７８（電導性質も持つ）及びリボン層７０は、写真平面処理及びエッチングを使ってパターン化される。最初に、反射層７８がパターン化される。次にリボン層７０が、残った反射層７８をエッチングのマスクとして使ってパターン化される。このエッチング処理により、反射層７８の第一電導領域７８ａ及び第二電導領域７８ｂ（図２及び図３を参照）が決定される。第一電導領域７８ａ及び第二電導領域７８ｂにより、変形可能リボン素子７２ａ及び７２ｂの電気的な絶縁及び機械的な隔離を達成する。相互接続７５は、第一の電導領域７８ａと下部電導層５６とを接続する。
【００２３】
図１２において、図３の面Ａ−Ａにおける断面図を示し、チャンネル６７内の犠牲層６６物質の除去を示す。チャンネル６７を埋める犠牲層６６は、乾式エッチング方法により、二フッ化キセノンを使い除去され、チャンネル６７は図１２の断面図に示すようなものとなる。本発明による機械格子装置１００の製造方法によれば、第一の側壁６７ａ及び第二の側壁６７ｂがチャンネル６７を決定し、このチャンネル６７の断面は、機械格子装置１００の長手方向では一定である。これに加え、上述の方法は、変形可能リボン素子の各々が、正確に決定された上部表面７０ａ及び下部表面７０ｂを有する機械格子装置１００を提供する。作動されていない状態では、変形可能なリボン素子７２ａ及び７２ｂには力が加えられておらず、全ての変形可能リボン素子７２ａ及び７２ｂが、それぞれの上部表面７０ａ及び下部表面７０ｂにおいて共面である。好適には、後に蒸着されるリボン素子７２ａ及び７２ｂの表面が、物質６６の除去後、下部表面及び上部表面の両方において光学的に共面である。
【００２４】
図１３は、面Ｂ−Ｂにおける断面図であり、第二の反射層７８ｂに電圧が印加されていない機械格子装置１００を示す。薄い下部電導層５６と第一反射層７８ａ又は第二反射層７８ｂとの間に電圧が印加されていない場合は、全てのリボン素子７２ａ及び７２ｂが共面である。なお第一反射層７８ａ及び第二反射層７８ｂは、変形可能リボン素子７２ａ及び７２ｂの各々の上に形成されている。図１３に示す実施形態では、変形可能リボン素子７２ａ及び７２ｂの上部層は、反射性であり電導性でもある層７８ａ及び７８ｂであり、共面のリボン素子７２ａ及び７２ｂの上部表面７０ａを決定する。リボン素子７２ａ及び７２ｂの、機械格子装置１００のベース５０を向いている表面は、下部表面７０ｂとされる。チャンネル６７の底部６７ｃには、複数の隔離碍子６１が形成される。各隔離碍子６１は、上部表面５４ａを有し、この表面はリボン素子７２ａ及び７２ｂの下部表面７０ｂに向いている。チャンネル６７の深さが、リボン素子７２ａ及び７２ｂの下部表面７０ｂとチャンネル６７の底部６７ｃ又は隔離碍子６１の上部表面５４ａとの距離を決定する。複数の隔離碍子６１はチャンネル６７の底部６７ｃに、変形可能リボン素子７２ａ及び７２ｂが一つおきに隔離碍子６１と関連するように配置される。図示する実施形態では、変形可能リボン素子７２ｂの第二の集合の各々が隔離碍子６１と関連する。
【００２５】
本発明は、特定の好適な実施形態を特に参照して説明されてきたが、本発明の精神と範囲内で変形及び変更を行うことができることを理解すべきである。
【００２６】
【発明の効果】
本発明による製作方法は、望まれる性能を持つ装置を製造し、また、超小型電子技術産業に共通し、再現可能であり、製造する装置全体が均一になることを可能にする製造方法の特定のステップを提供する。使われる方法によれば、本発明により製造された機械的又は電子機械的な格子装置の利点は、変形可能なリボン素子の下のチャンネル壁の場所をより明確に決定することにより再現可能なリボンの長さを可能にすることである。変形可能なリボン素子の再現可能な長さは、共鳴振動数、作動速度、共鳴カプリングによる減衰効果、及びリボン層の連続的な範囲の下における空気の流れの制限、などに影響を及ぼす。
【００２７】
更なる利点の一つは、装置のリボン素子の作動が例えば、熱又は機械的な力による始動によって行われることもできる点である。作動は、基板の上でのリボンの高さを変化させるために加えられた力によるリボンの変形である。さらに、シリコンウェーハ表面に地面を形成することにより、上面へのアクセス及び基板内でのよりよい電荷の閉じ込めを可能にする。これに加え、装置の構成及び選択された材料は、標準のＣＭＯＳ製造方法と互換性があり、電子機械格子の製造とＣＭＯＳ回路の統合とが互換性を持つ製造処理順序を可能にする。
【図面の簡単な説明】
【図１】  従来技術の格子装置の斜視部分切取図である。
【図２】  本発明の機械格子装置の斜視部分切取図である。
【図３】  本発明の機械格子装置の平面図である。
【図４】  図３に示す面Ａ−Ａに沿った断面図であり、本発明の一つの実施形態における積層を示す。
【図５】  図３に示す面Ａ−Ａに沿った断面図であり、チャンネルのエッチングを示す。
【図６】  図３に示す面Ａ−Ａに沿った断面図であり、犠牲層の蒸着を示す。
【図７】  図３に示す面Ａ−Ａに沿った断面図であり、チャンネルよりも高い犠牲層の除去を示す。
【図８】  図３に示す面Ａ−Ａに沿った断面図であり、リボン層の蒸着を示す。
【図９】  図３に示す面Ａ−Ａに沿った断面図であり、リボン層と基板との間に相互接続を設けることを示す。
【図１０】  図３に示す面Ａ−Ａに沿った断面図であり、反射層を設けることを示す。
【図１１】  図３に示す面Ａ−Ａに沿った断面図であり、反射層及びリボン層のパターン化を示す。
【図１２】  図３に示す面Ａ−Ａに沿った断面図であり、チャンネル内の犠牲層の除去を示す。
【図１３】  図３に示す面Ｂ−Ｂに沿った断面図であり、本発明の方法により製造された装置の一つの実施形態を示す。
【符号の説明】
１０  光変調器、１２  変形可能素子、１４  支持フレーム、１６  二酸化シリコン犠牲層、２２  シリコン基板、２４  絶縁保護層、２６  窒化シリコン層、３０  アルミニウム膜、５０  ベース、５２  基板、５３  表面、５４ａ  隔離碍子の上部表面、５６  下部電導層、５８  保護層、６０  隔離碍子層、６１隔離碍子、６４ａ  上部表面、６５  スペーサ層、６６  犠牲層、６７  チャンネル、６７ａ  第一の側壁、６７ｂ  第二の側壁、６７ｃ  底部、７０  リボン層、７０ａ  上部表面、７０ｂ  下部表面、７２ａ  変形可能リボン素子の第一の集合、７２ｂ  変形可能リボン素子の第二の集合、７４  開口部、７５  相互接続、７６  厚い電導層、７８  反射層、７８ａ  第一電導領域、７８ｂ  第二電導領域、１００  機械格子装置。
【図１】
0004519968.tif 000002
【図２】
0004519968.tif 000003
【図３】
0004519968.tif 000004
【図４】
0004519968.tif 000005
【図５】
0004519968.tif 000006
【図６】
0004519968.tif 000007
【図７】
0004519968.tif 000008
【図８】
0004519968.tif 000009
【図９】
0004519968.tif 000010
【図１０】
0004519968.tif 000011
【図１１】
0004519968.tif 000012
【図１２】
0004519968.tif 000013
【図１３】
0004519968.tif 000014